(57)【要約】【課題】目的とするユーザに効果的に広告を提供するカレンダー表示装置、プログラムを提供する。【解決手段】広告受信手段は、ネットワークを介した他の通信装置より所定の広告情報を受信し、広告表示手段は、暦に加えて上記受信した広告情報を表示する。【選択図】  図１
2005017967.tif 000002
【特許請求の範囲】
【請求項１】
所定期間の暦を表示するカレンダー表示手段を備えたカレンダー表示装置であって、
ネットワークを介した他の通信装置より所定の広告情報を受信する広告受信手段と、
上記暦に加えて上記受信した広告情報を表示する広告表示手段と、
を備えるカレンダー表示装置。
【請求項２】
さらにユーザによる上記暦に対応する情報の入力を受け付けるイベント入力手段を備え、
上記広告受信手段は、ユーザにより入力された上記暦に対応する情報を上記他の通信装置に送信すると共に当該情報に対応する広告情報を受信する請求項１に記載のカレンダー表示装置。
【請求項３】
上記広告受信手段は、さらに上記他の通信装置より上記暦に対応するイベントを含むイベント情報を受信すると共に、
上記広告表示手段は、上記表示した暦の対応する箇所に上記イベント情報を表示する請求項１又は２に記載のカレンダー表示装置。
【請求項４】
上記広告受信手段は、上記他の通信装置にユーザを特定可能なＩＤ情報を送信すると共に当該ＩＤ情報に対応する上記ユーザ特有のイベント情報を受信し、
上記広告表示手段は、上記表示した暦の対応する箇所に上記イベント情報を表示する請求項３に記載のカレンダー表示装置。
【請求項５】
上記広告情報は、所定のウェブページへのリンク情報を保持する請求項４に記載のカレンダー表示装置。
【請求項６】
所定期間の暦を表示するカレンダー表示機能を備えたコンピュータに、
ネットワークを介した他の通信装置より所定の広告情報を受信する広告受信ステップと、
上記暦に加えて上記受信した広告情報を表示する広告表示ステップとを実行させるプログラム。
【請求項７】
さらにユーザによる上記暦に対応する情報の入力を受け付けるイベント入力ステップを備え、
上記広告受信ステップは、ユーザにより入力された上記暦に対応する情報を上記他の通信装置に送信すると共に当該情報に対応する広告情報を受信する請求項６に記載のプログラム。
【発明の詳細な説明】
【０００１】
【発明の属する技術分野】
本発明は、カレンダー表示装置、プログラムに関し、特に、臨機応変に広告変更可能なカレンダー表示装置、プログラムに関する。
【０００２】
【従来の技術】
従来より、インターネット上のホームページに広告の見出し、即ちバナー広告を設けることで、ホームページが広告の媒体として利用されている。また、当該バナー広告をマウスなどでクリックすることにより当該広告に関連するホームページに容易にたどり着くといった工夫がされている。
【０００３】
さらに、同じく広告の媒体としてカレンダーも利用されている。ビジネス上の慣習として、年末にカレンダーを配布するのであるが、このカレンダーに例えば自社のロゴや自社商品の紹介等の広告を印刷しておくことで広告媒体として利用するのである。カレンダーは毎日のように参照するものであるため、参照のたびに当該広告が目に入り、即ち広告の媒体として非常に有効であるといえる。
【０００４】
【発明が解決しようとする課題】
しかしながら、上記ホームページ上に設けられたバナー広告は、不特定多数の人に対して表示される。つまり、目的とするユーザに広告を参照させるためには、上記カレンダーに印刷した広告とは異なり、広告を多数のホームページ上に設ける必要が生じるのである。さらに、広告としての効果を発揮するには、上記目的とするユーザがそのホームページを「偶然に」参照することで当該広告を発見する必要が生じるのである。それゆえ、企業は例えば検索サイト等の、様々なユーザが利用するホームページにバナー広告を設けることで、広告としての効果を高める必要がある。
【０００５】
また、例えば電子メールのみを利用するユーザは、上記バナー広告を参照する機会が無いため、このようなユーザに対しては上記バナー広告は効果が無いという問題もある。
【０００６】
一方で、上記カレンダーは、例えば客先などに配布するため、当該カレンダーに印刷された広告は、目的とするユーザに必ず見てもらえるというメリットがある。しかしながら、カレンダーは印刷物であるため、年間を通して予め決定している行事などについては印刷しておけるが、例えば新商品の広告や随時更新が必要な広告については上記カレンダーを広告媒体とすることが出来ないという問題がある。
【０００７】
本発明は、上記従来の事情に基づいて提案されたものであって、目的とするユーザに効果的に広告を提供するカレンダー表示装置、プログラムを提供することを目的とする。
【０００８】
【課題を解決するための手段】
本発明は、上記目的を達成するために以下の手段を採用している。すなわち、本発明は、所定期間の暦を表示するカレンダー表示手段を備えたカレンダー表示装置を前提としている。ここで、広告受信手段は、ネットワークを介した他の通信装置より所定の広告情報を受信し、広告表示手段は、暦に加えて上記受信した広告情報を表示する。
【０００９】
このようなカレンダー表示装置では、カレンダー表示部を有するカレンダー表示装置に、ネットワークを介して得られる広告を表示することで、毎日のように参照するカレンダーに広告を表示することが可能となり、付された広告の効果を高めることが可能になる。また、ホームページを参照しないユーザに対しても広告を提供することが可能となるばかりか、さらに当該広告は必要に応じて広告サーバにて変更することが可能であるため、従来の印刷したカレンダーと異なり適宜適切な広告を提供することが可能となる。
【００１０】
また、さらにユーザによる暦に対応する予定などの情報の入力を受け付けるイベント入力手段を備え、広告受信手段は、この入力された情報を他の通信装置に送信すると共に、当該情報に対応する広告情報を受信する構成がある。
【００１１】
この構成では、ユーザのイベントに対して関連する広告を送信することで、従来のホームページ上にランダムに表示される広告ではなく、ユーザのイベントに基づいた広告を提供可能となるため、ユーザが参照する可能性が高く、広告としての効果をさらに高めることが可能になる。
【００１２】
また、広告受信手段は、さらに他の通信装置より暦に対応するイベントを含むイベント情報を受信し、広告表示手段は表示した暦の対応する箇所（日）に受信したイベント情報を表示する構成がある。
【００１３】
この構成では、イベント情報を受信して暦表示部に表示することで、あたかもユーザのイベントであるかのように企業のイベント情報が暦表示部に表示されるため、ユーザが参照する可能性が高くなる。このため、広告としての効果をさらに高めることが可能になる。
【００１４】
また、広告受信手段は、他の通信装置にカレンダー表示装置を利用しているユーザ、またはユーザが利用している端末を特定可能なＩＤ情報を送信した後、このＩＤ情報に対応して送信されたユーザ特有のイベント情報を受信し、広告表示手段が、表示した暦の対応する箇所に受信したイベント情報を表示する構成がある。
【００１５】
この構成では、ユーザのＩＤ情報に基づいて各顧客単位で顧客情報、及びイベント情報を管理、送信することで、ユーザ毎に有効な広告情報・イベント情報を、さらに必要なタイミングで提供することが可能になる。
【００１６】
尚、上記各手段は、コンピュータにて実行可能なプログラムにより提供することが可能である。
【００１７】
【発明の実施の形態】
以下、添付図面を参照して本発明の実施の形態につき説明し、本発明の理解に供する。尚、以下の実施の形態は、本発明を具体化した一例であって、本発明の技術的範囲を限定する性格のものではない。
【００１８】
（実施の形態１）
図１は、本実施の形態におけるカレンダー表示装置を含むシステムの概略機能ブロック図であり、カレンダー表示装置１０１は、インターネット等のネットワーク１０３を介して広告サーバ１０２と通信可能に接続されている。また、図２は、上記カレンダー表示装置１０１の構成図である。
【００１９】
上記カレンダー表示措置１０１は、具体的には例えばパーソナルコンピュータであり、図１に示すように広告受信手段１０４、カレンダー表示手段１０５、広告表示手段１０６、記憶手段１０７、イベント入力手段１０８を備える。尚、各手段における詳細処理については随時説明を行う。
【００２０】
また、記憶手段１０７を除く各手段は、図２で示すＲＯＭ２０３、又はＨＤＤ（ハードディスクドライブ）２０４内にプログラムとして格納され、ＣＰＵ２０１に読み出されて実行されることにより後述する処理を行う。また、ＲＡＭ２０２は、例えばＣＰＵ２０１が処理を行う際のワークエリアとして利用され、さらにネットワークインターフェイス２０５は、ＣＰＵ２０１にて実行されるプログラムとあわせて上記広告受信手段１０４を構成する。また、記憶手段１０７には、上記ＨＤＤ２０４やＲＡＭ２０２が該当する。
【００２１】
続いて上記カレンダー表示装置１０１の処理の詳細について説明する。尚、理解に供する為、上記カレンダー表示装置にて実行されるプログラム（カレンダープログラム）を、自動車ディーラーがユーザに提供したものと仮定する。このような場合、上記自動車ディーラーの営業担当者は、例えばＣＤ−ＲＯＭに記録した上記プログラムを客先（ユーザ）に配布することで、当該ユーザは上記プログラムを入手する。また、上記ユーザは、上記プログラムをパーソナルコンピュータにインストールすることで、当該プログラムが上記記憶手段１０７に読み出し可能に格納される。
【００２２】
続いて、上記ユーザが上記プログラムを実行すると、まず、ＣＰＵ２０１にて読み出されたカレンダー表示プログラムは、カレンダー表示手段１０５として機能する。上記カレンダー表示手段１０５は、まず、図３に示すように、カレンダー３０１を表示する（図４：Ｓ４０１）。ここで、カレンダー３０１は、暦表示部３０２、広告表示部３０３、プログラム提供企業、即ち上記自動車ディーラーのロゴ３０５を有する。当該暦表示部３０２には、例えば１か月分や、１週間分といった所定の期間の暦が表示される。また、上記ロゴ３０５を選択することで当該ロゴにリンクされたホームページが表示可能になっている。
【００２３】
続いて、カレンダー３０１が表示されると、カレンダー表示手段１０５は記憶手段１０７内のイベントを検索する。ここで言うイベントとは、当該カレンダーを利用しているユーザが自ら入力したイベントであり、例えばパーソナルコンピュータに接続されるキーボードなどの入力手段より入力されるテキスト等を、イベント入力手段１０８が受け付け、当該イベントの日付と対応させて記憶手段１０７に記憶することで入力される。
【００２４】
当初はイベントが入力されていないため、当該イベントは上記暦表示部３０２には表示されない（図４：Ｓ４０２Ｎｏ→Ｓ４０４）。尚、上記記憶手段１０７内にイベントがあれば、上記暦表示部３０２の当該イベントの日付に該当する場所（該当日３０４）に上記記憶手段１０７より読み出されたイベントを表示する（図４：Ｓ４０２Ｙｅｓ→Ｓ４０３）。
【００２５】
上記イベントを表示した後上記広告表示手段１０６は、予め設定されているアドレスに基づいて、広告受信手段１０１、及びネットワーク１０３を介して広告サーバ１０２にアクセスを行う。上記広告サーバ１０２は、上記広告表示手段１０６からアクセスがあると、予め決められた広告データ、或いは複数の広告データからランダムに抽出等して、広告情報として返信する。
【００２６】
上記広告サーバ１０２から広告情報を受信すると、上記広告表示手段１０６は、例えば上記広告表示部３０３に受信した広告情報を広告として表示する（図４：Ｓ４０４→Ｓ４０５）。
【００２７】
以上のように、暦表示部を有するカレンダー表示装置にネットワークを介して得られる広告を表示することで、毎日のように参照するカレンダーに広告を表示することが可能となり、広告としての効果を高めることが可能になる。また、ホームページを参照しないユーザに対しても広告を提供することが可能となるばかりか、さらに当該広告は必要に応じて広告サーバにて変更することが可能であるため、従来の印刷したカレンダーによる広告と異なり適宜適切な広告を提供することが可能となる。
【００２８】
（実施の形態２）
続いて、本発明の実施の形態２について説明する。尚、上記実施の形態１と共通する点についての説明を省略し、異なる点のみ説明する。
【００２９】
本実施の形態２では、広告表示手段１０６が広告サーバ１０２にアクセスするに際して、上記記憶手段１０７に記憶されている、ユーザが入力したイベントを検索キーとして送信する。尚、送信する検索キーは例えば当日に該当するイベントや、今後のイベントに限定してもよいし、記憶手段１０７に記憶されているイベントすべてでもよい。
【００３０】
具体的には、ユーザが「歓迎会」や「旅行」といったイベントを入力している場合には、「歓迎会」又は「旅行」或いはその両方を上記広告サーバ１０２に送信する。
【００３１】
上記広告サーバ１０２は、上記広告表示手段１０６より検索キーを受信すると、当該検索キーにもとづいて複数ある広告の中から該当する、或いはふさわしいと思われる広告を上記広告表示手段１０６に対して送信するのである。
【００３２】
これにより、従来のホームページ上にランダムに表示される広告ではなく、ユーザのイベントに基づいた広告を提供可能となるため、ユーザが参照する可能性が高く、広告としての効果をさらに高めることが可能になる。
【００３３】
尚、上記検索キーに該当する広告が無い場合には、例えば本プログラムを提供した企業、ここでは自動車ディーラーの広告を表示してもよい。
【００３４】
（実施の形態３）
続いて、本発明の実施の形態３について説明する。尚、上記実施の形態１、２と共通する点についての説明を省略し、異なる点のみ説明する。
【００３５】
本実施の形態３では、広告サーバ１０２が広告表示手段１０６に広告情報を提供するに際して、例えばプログラムを提供した企業、ここでは自動車ディーラーの予定をイベント情報として送信する。具体的には、自動車ディーラーを例にとると、”２００３．６．３０：オイル交換無料セール”といったイベント情報である。
【００３６】
当該イベント情報を受信した広告表示手段１０６は、当該イベント情報に基づいて、暦表示部３０２の該当する日（この例では２００３年６月３０日）に上記イベント情報の内容（この例では「オイル交換無料セール」）を表示するのである（図３：表示３０５）。
【００３７】
これにより、あたかもユーザのイベントであるかのように企業のイベント情報が暦表示部に表示されるので、ユーザが参照する可能性が高くなる。このため、広告としての効果をさらに高めることが可能になる。
【００３８】
尚、上記イベント情報に例えばＵＲＬ情報を加えることで、当該イベントの内容をクリックするとユーザは当該イベント情報が記載されたホームページを参照可能とすることが出来る。
【００３９】
上記イベント情報を利用する際には必ずしも広告を表示する必要は無く、この場合には広告表示部３０３を省いてもよい。つまり、上記イベント情報が広告情報となるのである。
【００４０】
（実施の形態４）
続いて、本発明の実施の形態４について説明する。尚、上記実施の形態１〜３と共通する点についての説明を省略し、異なる点のみ説明する。
【００４１】
本実施の形態４では、広告表示手段１０６が広告サーバ１０２にアクセスするに際して、上記記憶手段１０７に記憶されている、ユーザを一意に特定可能なＩＤ情報を送信するのである。ユーザを一意に特定可能なＩＤ情報とは、例えばユーザ名やユーザＩＤ、或いはプログラム個別のＩＤ、ユーザが利用している端末を特定可能なＩＤ等が該当する。また、必要に応じて当該特定可能な情報に対応するパスワードを送信することにしてもよい。尚、例えばユーザ名やパスワードは、その都度入力してもよいし、プログラムのインストール時に登録してもよい。
【００４２】
上記ＩＤ情報が送信されると、上記広告サーバは、図５に示すユーザ情報テーブル５００を参照する。当該ユーザ情報テーブルには、例えばＩＤ情報５０１、顧客情報５０２、及び当該顧客毎のイベント情報５０３が格納されている。上記ＩＤ情報５０１は、ユーザ情報テーブル５００内で所定のレコードを特定可能な情報であり、上記顧客情報５０２は、該当する顧客の趣味等、当該顧客に広告を提供する上で有効な情報である。具体的には、自動車ディーラーを例にとると、車種名、車の利用目的などが該当する。また、顧客毎のイベント情報５０３は、当該顧客毎に設定された、日付の決まった情報である。具体的には、自動車ディーラーの場合には、顧客が利用する車のオイル交換予定日、定期点検予定日、車検予定日等が該当する。
【００４３】
ここで、上記広告サーバ１０２は、ユーザ情報テーブル５００上の一致する顧客ＩＤを検索することで当該顧客に関する顧客情報５０２、及び顧客毎のイベント情報５０３を得ることが出来る。
【００４４】
次に、上記広告サーバ１０２は、上記実施の形態３にて述べたイベント情報と同様に、顧客毎のイベント情報５０３を広告表示手段１０６に送信する。具体的には、例えば”２００３．６．２８：定期点検”等である。また、上記顧客情報５０２に基づいて、所定の広告情報を上記広告表示手段１０６に送信する。ここで言う広告情報とは、例えば実施の形態２と同様、複数の広告情報から選択的に抽出された、上記顧客情報５０２と関連する広告情報である。
【００４５】
上記広告表示手段１０６が上記顧客毎のイベント情報５０３及び広告情報を受信した後の処理は、上記実施の形態で述べた通りである。
【００４６】
以上のように、プログラムを使用しているユーザのＩＤ情報に基づいて各顧客単位で顧客情報、及びイベント情報を管理、送信することで、ユーザ毎に有効な広告情報・イベント情報を、さらに必要なタイミングで提供することが可能になる。
【００４７】
尚、上記実施の形態１〜４において、広告表示手段１０６が広告サーバにアクセスする際にユーザの指示は特に必要無く、例えば起動時や所定の時間間隔などの所定のタイミングにおいて広告表示手段１０６が自動的にアクセスすればよい。
【００４８】
【発明の効果】
カレンダー表示部を有するカレンダー表示装置に、ネットワークを介して得られる広告を表示することで、毎日のように参照するカレンダーに広告を表示することが可能となり、広告としての効果を高めることが可能になる。
【００４９】
また、ホームページを参照しないユーザに対しても広告を提供することが可能となるばかりか、さらに当該広告は必要に応じて広告サーバにて変更することが可能であるため、従来の印刷したカレンダーと異なり適宜適切な広告を提供することが可能となる。
【００５０】
また、ユーザのイベントに対して関連する広告を送信することで、従来のホームページ上にランダムに表示される広告ではなく、ユーザのイベントに基づいた広告を提供可能となるため、ユーザが参照する可能性が高く、広告としての効果をさらに高めることが可能になる。
【００５１】
また、イベント情報を受信して暦表示部に表示することで、あたかもユーザのイベントであるかのように企業のイベント情報が暦表示部に表示されるため、ユーザが参照する可能性が高くなる。このため、広告としての効果をさらに高めることが可能になる。
【００５２】
また、ユーザのＩＤ情報に基づいて各顧客単位で顧客情報、及びイベント情報を管理、送信することで、ユーザ毎に有効な広告情報・イベント情報を、さらに必要なタイミングで提供することが可能になる。
【図面の簡単な説明】
【図１】カレンダー表示装置を含むシステムの概略機能ブロック図
【図２】カレンダー表示装置の構成図
【図３】カレンダー表示の一例
【図４】カレンダー表示装置での処理を示すフローチャート
【図５】ユーザ情報テーブルの一例を示す図
【符号の説明】
１０１  カレンダー表示装置
１０２  広告サーバ
１０３  ネットワーク
１０４  広告受信手段
１０５  カレンダー表示手段
１０６  広告表示手段
１０７  記憶手段
１０８  イベント入力手段
２０１  ＣＰＵ
２０２  ＲＡＭ
２０３  ＲＯＭ
２０４  ＨＤＤ
２０５  ネットワークインターフェイス
【図１】
2005017967.tif 000003
【図２】
2005017967.tif 000004
【図３】
2005017967.tif 000005
【図４】
2005017967.tif 000006
【図５】
2005017967.tif 000007